【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
情報記録媒体に記録されたデータの再生処理を実行するデータ処理部を有し、
前記データ処理部は、
情報記録媒体に記録された再生データに対応する再生制御情報ファイルを取得し、
取得した再生制御情報ファイルの記録データに基づいて、情報記録媒体にＨＤＲ（Ｈｉｇｈ  Ｄｙｎａｍｉｃ  Ｒａｎｇｅ）データによって構成されるＨＤＲグラフィックスデータが記録されているか否かを判定し、
さらに、情報記録媒体にＨＤＲグラフィックスデータが記録されている場合は、
前記再生制御情報から、ＨＤＲグラフィックスデータの属性情報を取得し、取得した属性情報に応じて、表示装置に対する出力データの制御を実行する情報処理装置。
【請求項２】
前記ＨＤＲグラフィックスデータは、
ＨＤＲデータによって構成される字幕データ、またはメニュー画面表示データである請求項１に記載の情報処理装置。
【請求項３】
前記再生制御情報ファイルは、プレイリストファイルであり、
前記データ処理部は、
プレイリストファイルから、ＨＤＲグラフィックスデータの属性情報を取得し、取得した属性情報に応じて、表示装置に対する出力データの制御を実行する請求項１に記載の情報処理装置。
【請求項４】
前記データ処理部は、
プレイリストファイルの拡張データ記録フィールドからＨＤＲグラフィックスデータの属性情報を取得し、取得した属性情報に応じて、表示装置に対する出力データの制御を実行する請求項３に記載の情報処理装置。
【請求項５】
前記データ処理部は、
プレイリストファイルの拡張データ記録フィールドに記録されたストリームナンバーテーブル（ＳＴＮ）からＨＤＲグラフィックスデータの属性情報を取得し、取得した属性情報に応じて、表示装置に対する出力データの制御を実行する請求項４に記載の情報処理装置。
【請求項６】
前記データ処理部は、
プレイリストファイルの再生ストリーム情報記録フィールドからＨＤＲグラフィックスデータの属性情報を取得し、取得した属性情報に応じて、表示装置に対する出力データの制御を実行する請求項３に記載の情報処理装置。
【請求項７】
前記再生制御情報ファイルは、クリップ情報ファイルであり、
前記データ処理部は、
クリップ情報ファイルから、ＨＤＲグラフィックスデータの属性情報を取得し、取得した属性情報に応じて、表示装置に対する出力データの制御を実行する請求項１に記載の情報処理装置。
【請求項８】
前記データ処理部は、
クリップ情報ファイルの拡張データ記録フィールドからＨＤＲグラフィックスデータの属性情報を取得し、取得した属性情報に応じて、表示装置に対する出力データの制御を実行する請求項７に記載の情報処理装置。
【請求項９】
前記データ処理部は、
クリップ情報ファイルの拡張データ記録フィールドに記録されたＨＤＲグラフィックスデータ対応のプログラム情報からＨＤＲグラフィックスデータの属性情報を取得し、取得した属性情報に応じて、表示装置に対する出力データの制御を実行する請求項８に記載の情報処理装置。
【請求項１０】
前記データ処理部は、
クリップ情報ファイルのプログラム情報記録フィールドからＨＤＲグラフィックスデータの属性情報を取得し、取得した属性情報に応じて、表示装置に対する出力データの制御を実行する請求項７に記載の情報処理装置。
【請求項１１】
メディアに対する記録データの生成処理を実行するデータ処理部を有し、
前記データ処理部は、
再生データに対応する再生制御情報ファイルとして、
前記再生制御情報ファイルに基づく制御対象データとしてＨＤＲ（Ｈｉｇｈ  Ｄｙｎａｍｉｃ  Ｒａｎｇｅ）データによって構成されるＨＤＲグラフィックスデータが記録されているか否かを示す識別データと、
前記再生制御情報ファイルに基づく制御対象データとしてＨＤＲグラフィックスデータが含まれる場合は、ＨＤＲグラフィックスデータの属性情報を記録した再生制御情報ファイルを生成する情報処理装置。
【請求項１２】
前記ＨＤＲグラフィックスデータは、
ＨＤＲデータによって構成される字幕データ、またはメニュー画面表示データである請求項１１に記載の情報処理装置。
【請求項１３】
前記再生制御情報ファイルは、プレイリストファイルであり、
前記データ処理部は、
前記識別データと前記属性情報を記録したプレイリストファイルを生成する請求項１１に記載の情報処理装置。
【請求項１４】
前記データ処理部は、
プレイリストファイルの制御対象データであるＨＤＲ（Ｈｉｇｈ  Ｄｙｎａｍｉｃ  Ｒａｎｇｅ）グラフィックスデータと、ＳＤＲ（Ｓｔａｎｄａｒｄ  Ｄｙｎａｍｉｃ  Ｒａｎｇｅ）グラフィックスデータ双方の属性情報を記録した１つのプレイリストファイルを生成する請求項１３に記載の情報処理装置。
【請求項１５】
前記再生制御情報ファイルは、クリップ情報ファイルであり、
前記データ処理部は、
前記識別データと前記属性情報を記録したクリップ情報ファイルを生成する請求項１１に記載の情報処理装置。
【請求項１６】
前記データ処理部は、
クリップ情報ファイルの制御対象データであるＨＤＲ（Ｈｉｇｈ  Ｄｙｎａｍｉｃ  Ｒａｎｇｅ）グラフィックスデータと、ＳＤＲ（Ｓｔａｎｄａｒｄ  Ｄｙｎａｍｉｃ  Ｒａｎｇｅ）グラフィックスデータ双方の属性情報を記録した１つのクリップ情報ファイルを生成する請求項１５に記載の情報処理装置。
【請求項１７】
再生用データ格納ファイル、および前記再生用データ格納ファイルに対応する再生制御情報ファイルを記録した情報記録媒体であり、
前記再生制御情報ファイルは、
前記再生制御情報ファイルに基づく制御対象データとしてＨＤＲ（Ｈｉｇｈ  Ｄｙｎａｍｉｃ  Ｒａｎｇｅ）データによって構成されるＨＤＲグラフィックスデータが記録されているか否かを示す識別データと、
前記再生制御情報ファイルに基づく制御対象データとしてＨＤＲグラフィックスデータが含まれる場合は、ＨＤＲグラフィックスデータの属性情報を記録データとして有し、
前記再生用データを再生する再生装置が、
前記再生制御情報ファイルを参照して、ＨＤＲグラフィックスデータの属性情報を取得可能とした構成を有する情報記録媒体。
【請求項１８】
前記再生制御情報ファイルは、プレイリストファイル、またはクリップ情報ファイルである請求項１７に記載の情報記録媒体。
【請求項１９】
情報処理装置において実行する情報処理方法であり、
前記情報処理装置は、情報記録媒体に記録されたデータの再生処理を実行するデータ処理部を有し、
前記データ処理部が、
情報記録媒体に記録された再生データに対応する再生制御情報ファイルを取得し、
取得した再生制御情報ファイルの記録データに基づいて、情報記録媒体にＨＤＲ（Ｈｉｇｈ  Ｄｙｎａｍｉｃ  Ｒａｎｇｅ）データによって構成されるＨＤＲグラフィックスデータが記録されているか否かを判定し、
さらに、情報記録媒体にＨＤＲグラフィックスデータが記録されている場合は、
前記再生制御情報から、ＨＤＲグラフィックスデータの属性情報を取得し、取得した属性情報に応じて、表示装置に対する出力データの制御を実行する情報処理方法。
【請求項２０】
情報処理装置において情報処理を実行させるプログラムであり、
前記情報処理装置は、情報記録媒体に記録されたデータの再生処理を実行するデータ処理部を有し、
前記プログラムは、前記データ処理部に、
情報記録媒体に記録された再生データに対応する再生制御情報ファイルを取得する処理と、
取得した再生制御情報ファイルの記録データに基づいて、情報記録媒体にＨＤＲ（Ｈｉｇｈ  Ｄｙｎａｍｉｃ  Ｒａｎｇｅ）データによって構成されるＨＤＲグラフィックスデータが記録されているか否かを判定する処理と、
さらに、情報記録媒体にＨＤＲグラフィックスデータが記録されている場合は、
前記再生制御情報から、ＨＤＲグラフィックスデータの属性情報を取得し、取得した属性情報に応じて、表示装置に対する出力データの制御を実行させるプログラム。
【請求項２１】
再生用データ格納ファイル、および前記再生用データ格納ファイルに対応する再生制御情報ファイルを含むデータ構造であり、
前記再生制御情報ファイルは、
前記再生制御情報ファイルに基づく制御対象データとしてＨＤＲ（Ｈｉｇｈ  Ｄｙｎａｍｉｃ  Ｒａｎｇｅ）データによって構成されるＨＤＲグラフィックスデータが記録されているか否かを示す識別データと、
前記再生制御情報ファイルに基づく制御対象データとしてＨＤＲグラフィックスデータが含まれる場合は、ＨＤＲグラフィックスデータの属性情報を記録データとして有し、
前記再生用データを再生する再生装置が、
前記再生制御情報ファイルを参照して、ＨＤＲグラフィックスデータの属性情報を取得可能とした構成を有するデータ構造。